(57)【要約】【課題】  記憶媒体に書き込まれた情報に基づいて動作制御される電子機器において、ＲＦＩＤ通信機能を介して当該情報を更新したり、記憶媒体に書き込まれた情報をＲＦＩＤ通信機能を介して読み出したりするにあたり、記憶媒体の情報が正常でない情報により更新されたり、正常でない情報が読み出されることを回避することを目的とする。【解決手段】  記憶媒体に書き込まれた情報に基づいて動作制御される電子機器（１００）であって、情報を記憶するＲＦＩＤタグと、電子機器の電源が投入された後に、ＲＦＩＤタグに記憶されている情報を読み込む読込手段（２０２）と、読み込まれた前記情報が記憶媒体（３０４）に既に書き込まれている情報と一致せず、かつ、前記情報が正常であった場合には、記憶媒体（３０４）に書き込まれている情報を、前記情報に更新する更新手段（３０３）とを備える。【選択図】  図３
2006231775.tif 000002
【特許請求の範囲】
【請求項１】
記憶媒体に書き込まれた情報に基づいて動作制御される電子機器であって、
ＲＦＩＤ用の通信アンテナを介して受信された情報を記憶するＲＦＩＤタグと、
前記電子機器の電源が投入された後に、前記ＲＦＩＤタグに記憶されている情報を読み込む読込手段と、
前記読込手段により読み込まれた前記情報が前記記憶媒体に記憶されている情報と一致するか否かを判定する第一の判定手段と、
前記第一の判定手段により一致しないと判定された場合に、前記読込手段により読み込まれた前記情報が正常であるか否かを判定する第二の判定手段と、
前記第二の判定手段により正常であると判定された場合に、前記記憶媒体に記憶されている情報を、前記読込手段により読み込まれた情報に更新する更新手段と
を備えることを特徴とする電子機器。
【請求項２】
前記第二の判定手段により、前記読込手段により読み込まれた情報が正常でないと判定された場合に、その旨を報知する報知手段を更に備えることを特徴とする請求項１に記載の電子機器。
【請求項３】
前記記憶媒体に記憶される情報は、前記電子機器において実行される制御プログラムであることを特徴とする請求項１に記載の電子機器。
【請求項４】
前記読込手段により読み込まれた情報に、前記制御プログラムが含まれていなかった場合、前記記憶媒体に記憶されている制御プログラムを前記ＲＦＩＤタグに書き込む書き込み手段を更に備えることを特徴とする請求項３に記載の電子機器。
【請求項５】
前記記憶媒体に記憶されている情報は、前記電子機器において実行される制御プログラムによって、実行時に読み込まれるデータであることを特徴とする請求項１に記載の電子機器。
【請求項６】
前記読込手段により読み込まれた情報に、前記データが含まれていなかった場合、前記記憶媒体に記憶されているデータを前記ＲＦＩＤタグに書き込む書き込み手段を更に備えることを特徴とする請求項５に記載の電子機器。
【請求項７】
前記記憶媒体に記憶されている情報は、前記電子機器の機体情報であることを特徴とする請求項１に記載の電子機器。
【請求項８】
前記読込手段により読み込まれた情報に、前記機体情報が含まれていなかった場合、前記記憶媒体に記憶されている機体情報を前記ＲＦＩＤタグに書き込む書き込み手段を更に備えることを特徴とする請求項７に記載の電子機器。
【請求項９】
前記第二の判定手段により、前記読込手段により読み込まれた情報が正常でないと判定された場合に、前記記憶媒体に記憶されている情報を前記ＲＦＩＤタグに書き込む書き込み手段を更に備えることを特徴とする請求項１に記載の電子機器。
【請求項１０】
ユーザからの指示を受け付ける受付手段を更に備え、
前記読込手段は、前記電子機器の電源が投入された後に、前記受付手段において指示を受け付けた場合に、前記ＲＦＩＤタグに記憶されている前記送信情報を読み込むことを特徴とする請求項１に記載の電子機器。
【請求項１１】
前記読込手段は、前記電子機器の電源が投入された後に、自動的に前記ＲＦＩＤタグに記憶された情報を読み込むことを特徴とする請求項１に記載の電子機器。
【請求項１２】
前記電子機器は印刷装置であることを特徴とする請求項１乃至１１のいずれかに記載の電子機器。
【請求項１３】
前記電子機器は情報処理装置であることを特徴とする請求項１乃至１１に記載のいずれかに記載の電子機器。
【請求項１４】
通信アンテナを介して受信された情報を記憶するＲＦＩＤタグを備えた電子機器における情報処理方法であって、
前記電子機器の電源が投入された後に、前記ＲＦＩＤタグに記憶されている情報を読み込む読込工程と、
前記読込工程により読み込まれた情報が前記記憶媒体に記憶されている情報と一致するか否かを判定する第一の判定工程と、
前記第一の判定工程により一致しないと判定された場合に、前記読込工程により読み込まれた情報が正常であるか否かを判定する第二の判定工程と、
前記第二の判定工程により正常であると判定された場合に、前記記憶媒体に記憶されている情報を、前記読込工程により読み込まれた情報に更新する更新工程と、
前記更新工程により更新された情報に基づいて動作制御される制御工程と
を備えることを特徴とする情報処理方法。
【請求項１５】
前記第二の判定工程により、前記読込工程により読み込まれた前記情報が正常でないと判定された場合に、その旨を報知する報知工程を更に備えることを特徴とする請求項１４に記載の情報処理方法。
【請求項１６】
前記記憶媒体に記憶されている情報は、前記電子機器において実行される制御プログラムであることを特徴とする請求項１４に記載の情報処理方法。
【請求項１７】
前記読込工程により読み込まれた情報に、前記制御プログラムが含まれていなかった場合、前記記憶媒体に記憶されている制御プログラムを前記ＲＦＩＤタグに書き込む書き込み工程を更に備えることを特徴とする請求項１６に記載の情報処理方法。
【請求項１８】
前記記憶媒体に記憶されている情報は、前記電子機器において実行される制御プログラムによって、実行時に読み込まれるデータであることを特徴とする請求項１４に記載の情報処理方法。
【請求項１９】
前記読込工程により読み込まれた情報に、前記データが含まれていなかった場合、前記記憶媒体に記憶されているデータを前記ＲＦＩＤタグに書き込む書き込み工程を更に備えることを特徴とする請求項１８に記載の情報処理方法。
【請求項２０】
前記記憶媒体に記憶されている情報は、前記電子機器の機体情報であることを特徴とする請求項１４に記載の情報処理方法。
【請求項２１】
前記読込工程により読み込まれた情報に、前記電子機器の機体情報が含まれていなかった場合、前記記憶媒体に記憶されている機体情報を前記ＲＦＩＤタグに書き込む書き込み工程を更に備えることを特徴とする請求項２０に記載の情報処理方法。
【請求項２２】
前記第二の判定工程により、前記読込工程により読み込まれた前記送信情報が正常でないと判定された場合に、前記記憶媒体に記憶されている情報を前記ＲＦＩＤタグに書き込む書き込み工程を更に備えることを特徴とする請求項１４に記載の情報処理方法。
【請求項２３】
ユーザからの指示を受け付ける受付工程を更に備え、
前記読込工程は、前記電子機器の電源が投入された後に、前記受付工程において指示を受け付けた場合に、前記ＲＦＩＤタグに記憶されている情報を読み込むことを特徴とする請求項１４に記載の情報処理方法。
【請求項２４】
前記読込手段は、前記電子機器の電源が投入された後に、自動的に前記ＲＦＩＤタグに記憶されている情報を読み込むことを特徴とする請求項１４に記載の情報処理方法。
【請求項２５】
請求項１４乃至２４のいずれかに記載の情報処理方法をコンピュータによって実現させるための制御プログラムを格納した記憶媒体。
【請求項２６】
請求項１４乃至２４のいずれかに記載の情報処理方法をコンピュータによって実現させるための制御プログラム。
【請求項２７】
第一の記憶媒体に書き込まれた情報に基づいて動作制御される電子機器であって、
無線通信素子を介して受信した情報を記憶する第二の記憶媒体と、
前記電子機器の電源が投入された後に、前記第二の記憶媒体に記憶されている情報を読み込む読込手段と、
前記読込手段により読み込まれた情報が前記第一の記憶媒体に既に書き込まれている情報と一致するか否かを判定する第一の判定手段と、
前記第一の判定手段により一致しないと判定された場合に、前記読込手段により読み込まれた情報が正常であるか否かを判定する第二の判定手段と、
前記第二の判定手段により正常であると判定された場合に、前記第一の記憶媒体に既に書き込まれている情報を、前記読込手段により読み込まれた情報に更新する更新手段と
を備えることを特徴とする電子機器。
【請求項２８】
前記第二の判定手段により、前記読込手段により読み込まれた情報が正常でないと判定された場合に、その旨を報知する報知手段を更に備えることを特徴とする請求項２７に記載の電子機器。
【請求項２９】
前記第一の記憶媒体に既に書き込まれている情報は、前記電子機器において実行される制御プログラムであることを特徴とする請求項２７に記載の電子機器。
【請求項３０】
前記読込手段により読み込まれた情報に、前記電子機器において実行される制御プログラムが含まれていなかった場合、前記第一の記憶媒体に既に書き込まれている制御プログラムを前記第二の記憶媒体に書き込む書き込み手段を更に備えることを特徴とする請求項２９に記載の電子機器。
【請求項３１】
前記第一の記憶媒体に既に書き込まれている情報は、前記電子機器において実行される制御プログラムによって、実行時に読み込まれるデータであることを特徴とする請求項２７に記載の電子機器。
【請求項３２】
前記読込手段により読み込まれた情報に、前記データが含まれていなかった場合、前記第一の記憶媒体に既に書き込まれているデータを前記第二の記憶媒体に書き込む書き込み手段を更に備えることを特徴とする請求項３１に記載の電子機器。
【請求項３３】
前記第一の記憶媒体に既に書き込まれている情報は、前記電子機器の機体情報であることを特徴とする請求項２７に記載の電子機器。
【請求項３４】
前記読込手段により読み込まれた情報に、前記電子機器の機体情報が含まれていなかった場合、前記第一の記憶媒体に既に書き込まれている機体情報を前記第二の記憶媒体に書き込む書き込み手段を更に備えることを特徴とする請求項３３に記載の電子機器。
【請求項３５】
前記第二の判定手段により、前記読込手段により読み込まれた前記送信情報が正常でないと判定された場合に、前記第一の記憶媒体に既に書き込まれている情報を前記第二の記憶媒体に書き込む書き込み手段を更に備えることを特徴とする請求項２７に記載の電子機器。
【請求項３６】
ユーザからの指示を受け付ける受付手段を更に備え、
前記読込手段は、前記電子機器の電源が投入された後に、前記受付手段において指示を受け付けた場合に、前記第二の記憶媒体に記憶されている情報を読み込むことを特徴とする請求項２７に記載の電子機器。
【請求項３７】
前記読込手段は、前記電子機器の電源が投入された後に、自動的に前記第二の記憶媒体に記憶されている情報を読み込むことを特徴とする請求項２７に記載の電子機器。
【請求項３８】
前記電子機器は印刷装置であることを特徴とする請求項２７乃至３７のいずれかに記載の電子機器。
【請求項３９】
前記読み込み手段、及び書き込み手段は前記第二の記憶媒体からの読み込み、及び第二の記憶媒体への書き込み動作は通信アンテナを介して行なうことを特徴とする請求項２７乃至３７のいずれかに記載の電子機器。
【発明の詳細な説明】
【技術分野】
【０００１】
本発明は、ＲＦＩＤタグを取り扱い可能な電子機器、情報処理方法、記憶媒体、及びプログラムに関する。
【背景技術】
【０００２】
一般に、印刷装置にはマイクロコンピュータが搭載され、制御用プログラムにより電子制御されている。従来、この制御用プログラムの書き換えには専用の装置を必要としていた。しかし、印刷装置の複雑高度化に伴い機能の追加・修正が多くなってきたことから、現在の印刷装置では、専用の装置を用いなくとも、制御用プログラムの書き換えることができるよう構成されている。
【０００３】
具体的には、制御プログラムを電気的に消去／書換え可能な記憶媒体に記憶させることにより、印刷装置に接続されているホストコンピュータから消去／書換えができ、これにより客先などでサービスマンが容易に制御用プログラムの書換えが行えるようになっている。
【０００４】
しかしながら、工場や倉庫で出荷待ち状態のものなど、ホストコンピュータに接続されておらず梱包状態にある場合には、制御用プログラムの消去／書換えを行うにあたり、一度梱包を解き、ホストコンピュータにつなぎなおすことが必要となってくる。このため、かかる状況下では、制御用プログラムの消去／書換えに非常に手間と時間がかかってしまう。
【０００５】
一方で、半導体技術及び電子通信技術の発達により、非接触で情報の送受信が可能なＲＦＩＤ（Radio Frequency IDentification）と呼ばれる自動認識システム（ＲＦＩＤシステム）が開発されている。
【０００６】
一般に、ＲＦＩＤシステムには電子回路が搭載されており、情報を保持するＲＦＩＤタグとＲＦＩＤタグをコントロールするＲＦＩＤリーダ／ライタとから構成されている。そして、ＲＦＩＤシステムは、情報の新規書き込みや追記、ならびに複数のＲＦＩＤタグとの同時通信が可能であるという特徴を備える他、ＲＦＩＤリーダ／ライタから送信される無線周波数の受信電力から生成される電圧で動作するため、ＲＦＩＤタグが搭載された装置自身に電源を供給する必要がなく、しかも無線通信のため障害物等の影響を受けにくいという特徴を有している。
【０００７】
そこで、かかる技術を用いて印刷装置内の記憶媒体に記憶された制御プログラムや該制御プログラムの実行時に読み込まれるデータ、あるいは機体情報等、各種情報の書換え／読み出しを簡便に行うべく、印刷装置内部にＲＦＩＤタグを搭載する印刷装置が提案されている（例えば、下記特許文献１参照）。
【０００８】
かかる印刷装置によれば、例えば、印刷装置が梱包状態にあったり、電源ＯＦＦ状態にあった場合であっても、ＲＦＩＤリーダ／ライタとして機能するＲＦＩＤ通信用ハンディターミナル等を用いて、外部から印刷装置内部のＲＦＩＤタグに記憶された各種情報を書き換えることができる。書き換えられたＲＦＩＤタグの各種情報は、印刷装置起動時に当該印刷装置内部の記憶媒体（例えば、ＥＥＰＲＯＭ）に反映されるため、それ以降、更新された各種情報により印刷装置を動作させることが可能となる。
【０００９】
さらに、印刷装置が電源ＯＮ状態にあった場合に、記憶媒体（ＥＥＰＲＯＭ）に記憶されている当該印刷装置の各種情報を当該印刷装置内部のＲＦＩＤタグに記憶させるように構成しておけば、たとえ印刷装置の電源がＯＦＦ状態になった場合であっても、当該ＲＦＩＤ通信用ハンディターミナル等を用いて、外部から当該印刷装置内部のＲＦＩＤタグに記憶された当該各種情報を（すなわち、印刷装置が記憶媒体に記憶していた各種情報を間接的に）読み出すことが可能となる。
【特許文献１】特開２００３−２１６４５０号公報
【発明の開示】
【発明が解決しようとする課題】
【００１０】
しかしながら、ＲＦＩＤタグに書き込まれた各種情報が何らかの影響により正常でなくなってしまう場合や、ＲＦＩＤタグのメモリ領域そのものに不良があり、ＲＦＩＤタグに正常に各種情報が書き込まれなくなってしまうことがある。このような場合に、正常でない各種情報に基づいて印刷装置内部の記憶媒体に記憶された各種情報を更新してしまうと、最悪の場合、印刷装置が起動しなくなる可能性がある。また、このような場合においては、電源ＯＦＦ状態にてＲＦＩＤ通信用ハンディターミナルを用いてＲＦＩＤタグに記憶させた各種情報を読み出しても、正確な情報を得ることはできない。
【００１１】
本発明は、上記課題に鑑みてなされたものであり、記憶媒体に書き込まれた情報に基づいて動作制御される電子機器において、ＲＦＩＤ通信機能を介して当該情報を更新したり、記憶媒体に書き込まれた情報をＲＦＩＤ通信機能を介して読み出したりするにあたり、記憶媒体の情報が正常でない情報により更新されたり、正常でない情報が読み出されることを回避することを目的とする。
【課題を解決するための手段】
【００１２】
上記の目的を達成するために本発明に係る電子機器は以下のような構成を備える。即ち、
記憶媒体に書き込まれた情報に基づいて動作制御される電子機器であって、
ＲＦＩＤ用の通信アンテナを介して受信された情報を記憶するＲＦＩＤタグと、
前記電子機器の電源が投入された後に、前記ＲＦＩＤタグに記憶されている情報を読み込む読込手段と、
前記読込手段により読み込まれた前記送信情報が前記記憶媒体に既に書き込まれている情報と一致するか否かを判定する第一の判定手段と、
前記第一の判定手段により一致しないと判定された場合に、前記読込手段により読み込まれた前記送信情報が正常であるか否かを判定する第二の判定手段と、
前記第二の判定手段により正常であると判定された場合に、前記記憶媒体に既に書き込まれている情報を、前記読込手段により読み込まれた情報に更新する。
【００１３】
更に、もし第二の判定手段による判定結果が正常でなかった場合には、前記記憶媒体に既に記憶されている情報を前記ＲＦＩＤに書き込むようにした。
【発明の効果】
【００１４】
本発明によれば、記憶媒体に書き込まれた情報に基づいて動作制御される電子機器において、ＲＦＩＤ通信機能を介して当該情報を更新したり、記憶媒体に書き込まれた情報をＲＦＩＤ通信機能を介して読み出したりするにあたり、記憶媒体の情報が正常でない情報により更新されたり、正常でない情報が読み出されることを回避することが可能となる。
【発明を実施するための最良の形態】
【００１５】
以下、本発明の一実施形態について、添付図面を参照して説明する。
【００１６】
［第１の実施形態］
＜全体システム構成＞
図１は本発明の第１の実施形態にかかるＲＦＩＤタグ通信機能付きラベル記録装置(以下ラベルプリンタとも呼ぶ)と、当該ラベルプリンタと通信を行うＲＦＩＤ通信用ハンディターミナルとを示した図である。
【００１７】
ラベルプリンタ（１００）とＲＦＩＤ通信用ハンディターミナル（１０１）とは、無線による通信を行うことが可能であり、ＲＦＩＤ通信用ハンディターミナル（１０１）は、ラベルプリンタ（１００）に内蔵された内部情報記憶用ＲＦＩＤタグに対して、例えば制御プログラムを送信し記憶させたり、同じく無線通信によって内部情報記憶用ＲＦＩＤタグに記憶された各種情報を読み出したりすることが出来る。
【００１８】
内蔵されたＲＦＩＤタグは、たとえラベルプリンタ（１００）の電源が入っていなくても、ＲＦＩＤ通信用ハンディターミナル（１０１）から受信した電波の僅かな受信電力を利用して動作可能である。
【００１９】
＜ラベルプリンタの構成＞
図２は、ラベルプリンタ（１００）の概略構成図である。ラベルプリンタ（１００）は、主として連続ラベル紙に対して印刷を行う。台紙にラベル片が仮着された連続ラベル紙をロールユニット（２０５）に装着してプリンタ本体の搬送部に供給する。搬送部は主に搬送モータ（２０６）と搬送ベルト（２０７）で構成され、印刷時は図中の矢印方向（「用紙搬送方向」）に連続ラベル紙を搬送する。
【００２０】
ここで、搬送経路上のロールユニット（２０５）側を搬送入口、逆側を搬送出口とする。ラベルプリンタ（１００）は印刷手段として、例えばインクジェット印刷ヘッドであるブラック（Ｋ）ヘッド（２０３Ｋ）、シアン（Ｃ）ヘッド（２０３Ｃ）、マゼンタ（Ｍ）ヘッド（２０３Ｍ）、イエロー（Ｙ）ヘッド（２０３Ｙ）を搭載している。これらの印刷ヘッドは例えばラベル幅分の長さのノズル列を持ったフルラインタイプのインクジェット印刷ヘッドであり、これら４本の印刷ヘッドの各々のノズル列からそれぞれＫ、Ｃ、Ｍ、Ｙのインクを選択的に吐出することにより、カラー印刷を行うことができる。
【００２１】
吐出するインクは、ブラック（Ｋ）インクカートリッジ（２０４Ｋ）、シアン（Ｃ）インクカートリッジ（２０４Ｃ）、マゼンタ（Ｍ）インクカートリッジ（２０４Ｍ）、イエロー（Ｙ）インクカートリッジ（２０４Ｙ）から、図示しないポンプ、チューブ等によってそれぞれの印刷ヘッドに供給される。
【００２２】
ロールユニット（２０５）は、連続レベル紙（２１０）を装着するロール駆動軸（２０８）、ロール紙に一定のたるみをもたせる為のセンサとして用いられるロールセンサレバー（２０９）、ロール駆動軸（２０８）を駆動する図示しないロールモータから構成され、連続ラベル紙（２１０）をラベルプリンタ本体の搬送部に給送する。
【００２３】
さらに、搬送出口近傍にはＲＦＩＤタグ（２１１）に対して情報を記憶させるためのＲＦＩＤ通信部（２００）が有りＲＦＩＤ通信部（２００）は、ＲＦＩＤ用通信アンテナ（２０１）とＲＦＩＤの通信制御を行うＲＦＩＤリーダ／ライタ（２０２）、制御プログラム等の各種情報を記憶するＲＦＩＤタグ（２１１）から構成され、ＲＦＩＤタグ（２１１）と後述する内部情報記憶用ＥＥＰＲＯＭ（３０４）間で通信を行い、ＥＥＰＲＯＭ（３０４）の各種情報の書換え、ＥＥＰＲＯＭ（３０４）から読み出された各種情報のＲＦＩＤタグ（２１１）への書き込みを行う。
【００２４】
＜機能ブロック＞
図３はラベルプリンタ（１００）の簡易ブロック図である。ラベルプリンタ（１００）は、内部情報記憶用ＲＦＩＤタグ（２１１）と、ＲＦＩＤタグ（２１１）と通信を行う為のＲＦＩＤリーダ／ライタ（２０２）及びＲＦＩＤ通信用アンテナ（２０１）、ラベルプリンタ（１００）を起動しＲＦＩＤタグ（２１１）と通信を行うプログラムが記憶されている起動用ＲＯＭ（３０３）、ラベルプリンタ（１００）を制御する為の制御プログラムが記憶されている書き換え可能なＥＥＰＲＯＭ（３０４）、ホストコンピュータから転送された印刷データを記憶したり、制御プログラムを実行したりする為のＲＡＭ（３０５）、連続ラベル用紙（２１０）を給紙する為の給紙部（３０９）、連続ラベル用紙を搬送する為の搬送部（３１０）、印刷ヘッドの移動や回復動作を行う為のヘッド機構制御部（３０８）、印刷ヘッドからインクを吐出する為のヘッド制御部（３０６）、インクを吐出することにより印刷を行う印刷ヘッド（２０３Ｋ）、（２０３Ｃ）、（２０３Ｍ）、（２０３Ｙ）等で構成される。
【００２５】
ラベルプリンタ（１００）はさらに、プリンタのステータスを表示するＬＣＤ表示部および操作用スイッチの付いたオペレーションパネル（３１３）、ホストコンピュータ等外部装置と通信を行う為の外部インタフェース（３１２）、ラベルプリンタ全体の制御を行うＣＰＵ（３１１）から構成される。
【００２６】
内部情報記憶用ＲＦＩＤタグ（２１１）は既に記述した通り、電源を必要としないパッシブ方式を採用しておりＲＦＩＤリーダ／ライタ（３１５）との通信は無線電波の受信電力を利用して動作する。ラベルプリンタ（１００）の各種情報の更新またはラベルプリンタ（１００）からの各種情報の読み出しは、ＲＦＩＤ通信用ハンディターミナル（１０１）等、ＲＦＩＤタグ（２１１）と通信可能な外部機器を用いて行われる。外部から通信を行う場合でも無線電波の受信電力を利用してＲＦＩＤタグ（２１１）は動作するので、ＲＦＩＤタグ（２１１）自身は、たとえラベルプリンタ（１００）の電源が供給されていない状態であっても外部機器との通信は可能である。
【００２７】
ＲＦＩＤハンディターミナル（１０１）は、ＲＦＩＤタグ（２１１）と通信を行うためのＲＦＩＤ通信用アンテナ（３１４）およびＲＦＩＤリーダ／ライタ（３１５）、ＲＦＩＤハンディターミナルを制御するためのプログラムを記憶するＲＯＭ（３１６）、ＲＦＩＤタグ（２１１）との送受信データを記憶するためのＲＡＭ（３１７）、ＲＦＩＤハンディターミナル（１０１）全体を制御するためのＣＰＵ（３１８）から構成される。
【００２８】
＜ＲＦＩＤタグ（２１１）に記憶されるデータフォーマット＞
図４（１）はラベルプリンタ（１００）に内蔵される内部情報記憶用ＲＦＩＤタグ（２１１）に記憶されるデータフォーマットを示した図である。
【００２９】
内部情報（４００）は各種情報を識別する為の識別コード（４０１）、各種情報の情報量を示すデータ長（４０２）、各種情報を記憶するデータ部（４０３）から構成される。
【００３０】
内部情報には、ラベルプリンタ（１００）の制御プログラムやバージョン情報等（４０４）の他、各印刷ヘッド（２０３Ｋ、２０３Ｃ、２０３Ｍ、２０３Ｙ）が有する固有の印刷特性データ（例えば各ノズルのインク吐出量のバラツキから生じる印刷ムラを改善することを目的としたノズル単位の印刷濃度データ）（４０５）、機体の識別番号であるハードウェアシリアルナンバー（４０６）、各印刷ヘッド（２０３Ｋ、２０３Ｃ、２０３Ｍ、２０３Ｙ）の累積インク吐出（印刷）数（４０７)、印刷ヘッドの取り付け誤差などによる各印刷ヘッド相互の印刷位置ずれを修正する為の印刷位置調整値（４０８）等がある（なお、第１及び第２の実施形態では、これらを総称して「各種情報」と称す）。
【００３１】
制御用プログラム記憶フォーマット（４０４）のデータ部は、制御プログラムのバージョン情報と制御プログラムが記憶される。
【００３２】
印刷特性データ記憶フォーマット（４０５）のデータ部は、どの印刷ヘッドの印刷特性データかを判別する為のヘッドシリアルナンバーと印刷特性データが記憶される。
【００３３】
ハードウェアシリアルナンバー記憶フォーマット（４０６）のデータ部は、機体のシリアルナンバーとラベルプリンタ（１００）に使用されている各印刷ヘッドのシリアルナンバーが記憶される。
【００３４】
累積インク吐出（印刷）数記憶フォーマット（４０７）のデータ部は、各印刷ヘッドの累積インク吐出（印刷）数と全印刷ヘッドの累積インク吐出数の和から構成される。
【００３５】
印刷位置調整値記憶フォーマット（４０８）のデータ部は、各印刷ヘッドの縦方向（用紙搬送方向）の調整値と横方向（印刷ヘッドのノズル列方向）の調整値から構成される。
【００３６】
図４（２）はラベルプリンタ（１００）に内蔵される内部情報記憶用ＲＦＩＤタグメモリマップを示した図である。ＲＦＩＤタグ（２１１）には、記憶フォーマット（４００）の形式で、内部情報記憶用ＲＦＩＤタグメモリマップ（４１０）に示す通り、各内部情報が連続的に記憶されている。内部情報の記憶の順番には特に指定は無く、識別コード（４０１）により内部情報を識別する。
【００３７】
また、記憶されている情報量は、先頭から順に識別コード（４０１）を検索することで確認を行う。次の内部情報識別コードの位置（記憶されているアドレス）は計算式（４１１）から算出できるので、終了コード（４０９）を検知するまで検索を行うことで、記憶情報量を確認できる。
【００３８】
以上述べたことから、ＲＦＩＤタグ（２１１）には必ずしも全ての情報が記憶されている必要は無く、更新が必要な情報だけを記憶しておくことも可能である。このため、ラベルプリンタ（１００）に内蔵されるＲＦＩＤタグ（２１１）の記憶容量を考慮して効果的に利用することが出来る。
【００３９】
＜ＲＦＩＤハンディターミナルによる処理＞
図５はラベルプリンタ（１００）に搭載されるＲＦＩＤタグ（２１１）とＲＦＩＤ通信用ハンディターミナル（１０１）との間のデータ送受信の流れを示したフローチャートである。
【００４０】
ＲＦＩＤ通信用ハンディターミナル（１０１）はユーザからのコマンド待ち状態となっており（ステップＳ５０１）、コマンドを受信すると、受信したコマンドの解析処理を行う（ステップＳ５０２）。
【００４１】
ステップＳ５０３では、コマンドがデータクリアコマンドであるかを判定し、クリアコマンドであれば、ラベルプリンタ（１００）内蔵のＲＦＩＤタグ(２１１)のデータをクリア（消去）し（ステップＳ５０４）、再びコマンド待ち状態に戻る（ステップＳ５０１）。
【００４２】
データクリアコマンドで無い場合は続けて、データ書き込みコマンドであるかを判定し（ステップＳ５０５）、データ書き込みコマンドであればＲＦＩＤ通信用ハンディターミナル（１０１）のＲＡＭ（３１７）に記憶されているラベルプリンタ（１００）の制御プログラムまたは印刷特性データ等の各種情報をＲＦＩＤタグ（２１１）へ書き込み（ステップＳ５０６）、再びコマンド受信状態に戻る（ステップＳ５０１）。
【００４３】
データ書き込みコマンドでない場合は続けて、データ読み込みコマンドであるかを判定し（ステップＳ５０７）、データ読み込みコマンドであればＲＦＩＤタグ（２１１）に記憶された各種情報の読み込みをおこない、ＲＦＩＤ通信用ハンディターミナル（１０１）のＲＡＭ（３１７）に記憶し（ステップＳ５０８）、再びコマンド受信状態に戻る（ステップＳ５０１）。
【００４４】
＜ラベルプリンタにおける処理（制御プログラムの更新）＞
図６はラベルプリンタ（１００）の各種情報のうち制御プログラムを更新する場合の処理の流れを示したフローチャートである。ラベルプリンタ（１００）に電源が投入（ステップＳ６０１）されると起動用ＲＯＭ（３０３）に記憶されているＲＦＩＤ通信用プログラムが実行され、ＲＦＩＤリーダ／ライタ（２０２）はＲＦＩＤ通信用アンテナ（２０１）を介して、内蔵したＲＦＩＤタグ（２１１）と通信可能状態となる（ステップＳ６０２）。
【００４５】
続いてＲＦＩＤタグ（２１１）に制御プログラムが記憶されているかを確認する為にＲＦＩＤタグ（２１１）に記憶されている識別コード（４０１）を取得し（ステップＳ６０３）、制御プログラムがあるかを判定する（ステップＳ６０４）。
【００４６】
制御プログラムがあった場合は、ＲＦＩＤタグ(２１１)から、データ長（４０２）だけ制御プログラム（４０４）を取得し（ステップＳ６０５）、取得したデータから内部情報記憶用ＥＥＰＲＯＭ（３０４）に記憶されている制御プログラムとバージョンを比較し（ステップＳ６０６）、同一であった場合は、制御プログラムを更新せずに制御プログラム更新処理を終了する。
【００４７】
異なるバージョンであった場合はＲＦＩＤタグ（２１１）から読み込んだ制御プログラムが正常かどうかを判定し（ステップＳ６０９）、正常であった場合のみ更新する（ステップＳ６１１）。このような処理をすることにより、異常のある制御プログラムによってＥＥＰＲＯＭ（３０４）の制御プログラムが更新され、ラベルプリンタ（１００）が起動しなくなってしまうといった事態を防ぐことができる。
【００４８】
一方、異常があった場合は、制御プログラムを更新せずに、オペレーションパネル（３１３）のＬＣＤ表示部にエラー表示を行い（ステップＳ６１０）、制御プログラム更新処理を終了する。これにより、ユーザはＲＦＩＤタグ（２１１）に書き込んだ制御プログラムによって、内部情報記憶用ＥＥＰＲＯＭ（３０４）が書き換えられなかったことを認識することができる。
【００４９】
また、異常があった場合には内部情報記憶用ＥＥＰＲＯＭ（３０４）に記憶されている制御プログラムをＲＦＩＤタグ（２１１）に書き込む（ステップＳ６１５）。このように、異常があった場合に、内部情報記憶用ＥＥＰＲＯＭ（３０４）に記憶されている制御プログラムをＲＦＩＤタグ（２１１）に書き込むのは、当該ラベルプリンタ（１００）の電源がＯＦＦ時でも、当該ラベルプリンタ（１００）の有する制御プログラムをユーザが確認できるようにするためである。つまり、ＲＦＩＤタグ（２１１）に記憶された制御プログラムを異常のままに放置しておくと、電源ＯＦＦ時にＲＦＩＤ通信用ハンディターミナル（１０１）を用いて当該ラベルプリンタ（１００）の有する制御プログラムを確認しようとしても、確認することができず利便性が悪いからである。
【００５０】
更新終了後、ステップＳ６１２では制御プログラムが正常に書き換えられたかを判定し、書き換えが正常終了した場合は、制御プログラム更新処理を終了する。
【００５１】
一方、書き込みエラーが発生した場合には、オペレーションパネル（３１３）のＬＣＤ表示部に書き込みエラー表示を行い（ステップＳ６１３）、ラベルプリンタ（１００）の動作を停止する（ステップＳ６１４）。
【００５２】
また、ステップＳ６０４で、制御プログラムではなかった場合には、取得した識別コードが終了コードであるか確認し（ステップＳ６０７）、終了コードであった場合は、内部情報記憶用ＥＥＰＲＯＭ（３０４）に記憶されている制御プログラムをＲＦＩＤタグに書き込み（ステップＳ６１５）、制御プログラム更新処理を終了する。なお、ステップＳ６０４で、制御プログラムでなかった場合に、内部情報記憶用ＥＥＰＲＯＭ（３０４）に記憶されている制御プログラムをＲＦＩＤタグに書き込むのは、当該ラベルプリンタ（１００）の電源ＯＦＦ時でも、当該ラベルプリンタ（１００）の有する制御プログラムをユーザが確認できるようにするためである。
【００５３】
一方、ステップＳ６０７において、終了コードではない場合は次の識別コードへ移動し（ステップＳ６０８）、ステップＳ６０３を実行する。
【００５４】
＜ラベルプリンタにおける処理（印刷特性データの更新）＞
図７はラベルプリンタ（１００）の各種情報のうち、印刷特性データを更新する場合の処理の流れを示したフローチャートである。ラベルプリンタ（１００）に電源が投入(ステップＳ７０１)されると起動用ＲＯＭ（３０３）に記憶されているＲＦＩＤ通信用プログラムが実行され、内部情報記憶用ＲＦＩＤタグ（２１１）と通信可能状態となる（ステップＳ７０２）。
【００５５】
ＲＦＩＤタグ(２１１)に記憶されている識別コード（４０１）を取得し（ステップＳ７０３）、印刷特性データがあるかを判定する（ステップＳ７０４）。印刷特性データがあった場合はＲＦＩＤタグ（２１１）から、データ長（４０２）だけ印刷特性データ（４０３）を取得し（ステップＳ７０５）、取得した印刷特性データと各印刷ヘッド（２０３Ｋ〜２０３Ｙ）に記憶されているヘッドシリアルナンバーとの比較を行い（ステップＳ７０６）、シリアルナンバーが一致した場合には、取得した印刷特性データのチェックを行う（ステップＳ７０９）。データが正常だった場合は各印刷ヘッドの印刷特性データを書き換える（ステップＳ７１１）。一方、印刷特性データに異常があった場合は書き換えを行わず、オペレーションパネル（３１３）のＬＣＤ表示部にエラーを表示し、現在の印刷特性データをＲＦＩＤタグ（２１１）に記憶する（ステップＳ７１０）。
【００５６】
ステップＳ７１２では、書き換えが正常終了したかを判定し、正常終了した場合は、印刷特性データの更新処理を終了する。書き込みエラーが発生した場合には、オペレーションパネル（３１３）のＬＣＤ表示部に書き込みエラー表示を行い（ステップＳ７１３）、印刷特性データの更新処理を終了する。
【００５７】
また、ステップＳ７０４で、印刷特性データがなかった場合は、取得した識別コードが終了コードであるか確認し（ステップＳ７０７）、終了コードであった場合は、印刷特性データをＲＦＩＤタグ（２１１）に書き込んだ後（ステップＳ７１４）、印刷特性データ更新処理を終了する。終了コードではない場合は次の識別コードへ移動し（ステップＳ７０８）、ステップＳ７０３を実行する。
【００５８】
＜ラベルプリンタにおける処理（機体情報の更新）＞
図８はラベルプリンタ（１００）における各種情報のうち、機体情報（ハードウェアシリアルナンバー、累積インク吐出数、ヘッド位置調整値）を更新する場合の処理の流れを示したフローチャートである。ラベルプリンタ（１００）に電源が投入（ステップＳ８０１）されると、起動用ＲＯＭ（３０３）に記憶されているＲＦＩＤ通信用プログラムが実行され、ＲＦＩＤタグ（２１１）と通信可能状態となる（ステップＳ８０２）。
【００５９】
ステップＳ８０５では、ＲＦＩＤタグ（２１１）にハードウェアシリアルナンバーが記憶されているか確認を行い、記憶されている場合はデータをチェックした後、データが正常であればＲＦＩＤタグ（２１１）に記憶されているハードウェアシリアルナンバーによりＥＥＰＲＯＭ（３０４）に記憶されているハードウェアシリアルナンバーを上書きし（ステップＳ８０４）、ＲＦＩＤタグ（２１１）に記憶されているデータが正常でない場合、またはＲＦＩＤタグ（２１１）にデータが記憶されていない場合は、ＥＥＰＲＯＭ（３０４）に記憶されているハードウェアシリアルナンバーをＲＦＩＤタグ（２１１）へ新規に書き込む（ステップＳ８０５）。
【００６０】
続いて、ＲＦＩＤタグ（２１１）に累積インク吐出（印刷）数が記憶されているかを確認し、記憶されている場合はデータをチェックした後（ステップＳ８０６）、データが正常であればＲＦＩＤタグ（２１１）に記憶されている累積インク吐出（記録）数によりＥＥＰＲＯＭ（３０４）に記憶されている累積インク吐出数を上書きし（ステップＳ８０７）、ＲＦＩＤタグ（２１１）に記憶されているデータが正常でない場合、またはＲＦＩＤタグ（２１１）にデータが記憶されていない場合はＥＥＰＲＯＭ（３０４）の累積インク吐出（印刷）数をＲＦＩＤタグ（２１１）へ新規に書き込む（ステップＳ８０８）。
【００６１】
続いて、ＲＦＩＤタグ（２１１）に印刷位置調整値情報が記憶されているか確認を行い（ステップＳ８０９）、記憶されている場合はデータをチェックした後、データが正常であればＲＦＩＤタグ（２１１）に記憶されている印刷位置調整値情報によりＥＥＰＲＯＭ（３０４）に記憶されている印刷位置調整値情報を上書きし（ステップＳ８１０）、ＲＦＩＤタグ（２１１）に記憶されているデータが正常でない場合、またはＲＦＩＤタグ（２１１）にデータが記憶されていない場合は、ＥＥＰＲＯＭ（３０４）の印刷位置調整値情報をＲＦＩＤタグ（２１１）へ新規に書き込む（ステップＳ８１１）。
【００６２】
以上の説明から明らかなように、本実施形態にかかるラベルプリンタによれば、ＲＦＩＤ通信機能を搭載することで当該ラベルプリンタが梱包状態の如く電源が入っていない状態であったり、またはホストコンピュータに接続されていない状態であったりした場合でも、ラベルプリンタの制御プログラムや、制御プログラム実行時に読み込まれるデータ、あるいはラベルプリンタの機体情報等、ＲＦＩＤタグに記憶された各種情報の書換えが可能となる。そして、本実施形態にかかるラベルプリンタでは、電源投入時に当該書き換えられた各種情報により内部情報記憶用ＥＥＰＲＯＭを更新することで、当該書き換えられた各種情報を反映させることができ、さらに、内部情報記憶用ＥＥＰＲＯＭを更新する際には当該各種情報が正常であるか否かを確認することにより、正常でない情報によって内部情報記憶用ＥＥＰＲＯＭが更新されてしまうことを回避することが可能となる。
【００６３】
加えて、ＲＦＩＤタグに記憶された各種情報が正常でなかった場合には、逆に内部情報記憶用ＥＥＰＲＯＭに記憶されている各種情報によってＲＦＩＤタグに記憶されている各種情報を書き換える構成とすることにより、ラベルプリンタの電源ＯＦＦ時でも、ユーザはＲＦＩＤ通信用ハンディターミナルを用いてＲＦＩＤタグを介してラベルプリンタの有する正常な各種情報を読み出すことが可能となる（つまり、正常でない情報が読み出されることが回避される）。
【００６４】
［第２の実施形態］
上記第１の実施形態では、ＲＦＩＤタグに書き込まれた情報を用いて、内部情報記憶用ＥＥＰＲＯＭを更新するための処理が、ラベルプリンタの電源の投入を契機として自動的に開始されるように構成したが、本発明はこれに限られず、例えば、ユーザが所定の指示を入力した場合にのみ、ＲＦＩＤタグに書き込まれた情報を用いて、内部情報記憶用ＥＥＰＲＯＭを更新するための処理が開始されるように構成してもよい。以下にラベルプリンタ１００における処理の詳細を説明する。
【００６５】
＜ラベルプリンタにおける処理（制御プログラムの更新）＞
図９はラベルプリンタ（１００）の制御プログラムを更新する場合の処理の流れを示したフローチャートである。
【００６６】
ステップＳ９０１にてラベルプリンタ（１００）に電源が投入され初期化動作が終了すると、ユーザにより入力されるオペレーションパネル（３１３）からのコマンドの受信を待機するコマンド受信待機状態となり（ステップＳ９０２）、コマンドが受信されると解析処理を行い、制御プログラム更新命令か否かを判定する（ステップＳ９０３）。制御プログラム更新命令ではない場合は、そのコマンドに対応する処理プログラムを実行し（ステップＳ９０９）、再びコマンド受信待機状態に戻る（ステップＳ９０１）。
【００６７】
一方、制御プログラム更新命令の場合には、起動用ＲＯＭ（３０３）に記憶されているＲＦＩＤ通信用プログラムが実行され、ＲＦＩＤタグ（２１１）と通信可能状態となる（ステップＳ９０４）。
【００６８】
続いてＲＦＩＤタグ（２１１）に制御プログラムが記憶されているかを確認する為にＲＦＩＤタグ（２１１）に記憶されている識別コード（４０１）を取得し（ステップＳ９０５）、制御プログラムがあるかを判定する（ステップＳ９０６）。制御プログラムがあった場合は、ＲＦＩＤタグ（２１１）から、データ長（４０２）だけデータ（４０３）を取得し（ステップＳ９０７）、取得したデータから内部情報記憶用ＥＥＰＲＯＭ（３０４）に記憶されている制御プログラムとバージョンを比較し（ステップＳ９０８）、同一であった場合は、制御用プログラムを更新せずに制御プログラム更新処理を終了する。
【００６９】
一方、異なるバージョンであった場合には、ＲＦＩＤタグ（２１１）から読み込んだ制御プログラムが正常かどうかを判定し（ステップＳ９１２）、正常であった場合のみ更新する（ステップＳ９１３）。異常があった場合は、制御用プログラムを更新せずにオペレーションパネル（３１３）のＬＣＤ表示部にエラー表示を行なった後（ステップＳ９１７）、制御プログラム更新処理を終了し、ＲＦＩＤタグ（２１１）に内部情報記憶用ＥＥＰＲＯＭ３０４に記憶されている制御プログラムを書き込む（ステップＳ９１８）。
【００７０】
一方、ステップＳ９１３にて制御プログラムの更新が行われた場合には、更新終了後制御プログラムが正常に書き換えられたかを判定し（ステップＳ９１４）、正常終了した場合は、制御プログラム更新処理を終了する。
【００７１】
一方、書き込みエラーが発生した場合は、オペレーションパネル（３１３）のＬＣＤ表示部に書き込みエラー表示を行い（ステップＳ９１５）、ラベルプリンタ（１００）の動作を停止する（ステップＳ９１６）。
【００７２】
また、ステップＳ９０６にて制御プログラムではないと判定された場合には、取得した識別コードが終了コードであるか確認し（ステップＳ９１０）、終了コードであった場合は、ＥＥＰＲＯＭ（３０４）に記憶されている制御プログラムをＲＦＩＤタグ（２１１）に書き込む（ステップＳ９１７）。一方、終了コードではない場合は次の識別コードへ移動し（ステップＳ９１１）、ステップＳ９０５を実行する。
【００７３】
＜ラベルプリンタにおける処理（印刷特性データの更新）＞
図１０はラベルプリンタ（１００）の印刷特性データ更新の流れを示したフローチャートである。ステップＳ１００１においてラベルプリンタ（１００）に電源が投入され初期化動作が終了すると、コマンド受信待機状態となり（ステップＳ１００２）、コマンドが受信されると解析処理を行い、印刷特性データ書換え命令かを判定する（ステップＳ１００３）。
【００７４】
印刷特性データ書換え命令でない場合は、そのコマンドに対応する処理プログラムを実行し（ステップＳ１００９）、再びコマンド受信待機状態に戻る（ステップＳ１００２）。一方、印刷特性データ書換え命令の場合は、起動用ＲＯＭ（３０３）に記憶されているＲＦＩＤ通信用プログラムが実行され、内部情報記憶用ＲＦＩＤタグ（２１１）と通信可能状態となる（ステップＳ１００４）。
【００７５】
続いてＲＦＩＤタグ（２１１）に記憶されている識別コード（４０１）を取得し（ステップＳ１００５）、印刷特性データがあるかを判定する（ステップＳ１００６）。印刷特性データがあった場合はＲＦＩＤタグ（２１１）から、データ長（４０２）だけデータ（４０３）を取得し（ステップＳ１００７）、取得したデータに含まれるヘッドシリアルナンバーとＥＥＰＲＯＭ（３０４）に記憶されている各印刷ヘッド（２０４Ｋ〜２０４Ｙ）のヘッドシリアルナンバーとの比較を行う（ステップＳ１００８）。
【００７６】
ステップＳ１００８においてＥＥＰＲＯＭ（３０４）に記憶されている各印刷ヘッドのヘッドシリアルナンバーと一致した場合は、ステップＳ１０１２に進み、印刷特性データをチェックする。印刷特性データが正常であった場合には、ＥＥＰＲＯＭ（３０４）に記憶されている印刷特性データを書き換える（ステップＳ１０１３）。一方、印刷特性データに異常があった場合は、オペレーションパネル（３１３）のＬＣＤ表示部にエラー表示を行い、ＲＦＩＤタグ（２１１）にＥＥＰＲＯＭ（３０４）に記憶されている各印刷ヘッドの印刷特性データを書き込む（ステップＳ１０１５）。
【００７７】
ステップＳ１０１４では、書き換えが正常終了したかを判定し、正常終了した場合は、印刷特性データ更新処理を終了する。書き込みエラーが発生した場合には、オペレーションパネル（３１３）のＬＣＤ表示部に書き込みエラー表示を行い（ステップＳ１０１６）、印刷特性データ更新処理を終了する。
【００７８】
また、ステップＳ１００６で、印刷特性データがなかった場合は、取得した識別コードが終了コードであるか確認し（ステップＳ１０１０）、終了コードであった場合は印刷特性データをＲＦＩＤタグ（２１１）に記憶した後（ステップＳ１０１７）、印刷特性データ更新処理を終了する。一方、終了コードでない場合は、次の識別コードへ移動し（ステップＳ１０１１）、ステップＳ１００５を実行する。
【００７９】
＜ラベルプリンタにおける処理（機体情報の更新）＞
図１１はラベルプリンタ（１００）における機体情報を更新する場合の流れを示したフローチャートである。
【００８０】
ステップＳ１１０１においてラベルプリンタ（１００）に電源が投入され初期化動作が終了すると、コマンド受信待機状態となり（ステップＳ１１０２）、コマンド解析処理を行い、機体情報書き込み命令かどうか判定する（ステップＳ１１０２）。機体情報書き込み命令でない場合は、そのコマンドに対応する処理プログラムを実行し（ステップＳ１１１４）、再びコマンド受信待機状態に戻る（ステップＳ１１０２）。
【００８１】
一方、機体情報書き込み命令の場合は、起動用ＲＯＭ（３０３）に記憶されているＲＦＩＤ通信用プログラムが実行され、内部情報記憶用ＲＦＩＤタグ（２１１）と通信可能状態となり（ステップＳ１１０４）、ＲＦＩＤタグ（２１１）にヘッドシリアルナンバーが記憶されているか確認を行い（ステップＳ１１０５）、記憶されている場合は当該データのチェックを行う。データが正常な場合には、ＥＥＰＲＯＭ（３０４）に記憶されているヘッドシリアルナンバーをＲＦＩＤタグ（２１１）に記憶されたヘッドシリアルナンバーで上書きし（ステップＳ１１０６）、正常でない場合、または記憶されていない場合は、ＥＥＰＲＯＭ（３０４）に記憶されているヘッドシリアルナンバーをＲＦＩＤタグ（２１１）へ新規に書き込む（ステップＳ１１０７）。
【００８２】
続いて、ＲＦＩＤタグ（２１１）に累積インク吐出（印刷）数が記憶されているかを確認し（ステップＳ１１０８）、記憶されている場合はデータのチェックを行い、データが正常な場合にはＥＥＰＲＯＭ（３０４）に記憶されている累積インク吐出（印刷）数をＲＦＩＤタグ（２１１）に記憶されている累積インク吐出数で上書きし（ステップＳ１１０９）、正常でない場合、または記憶されていない場合はＥＥＰＲＯＭ（３０４）の累積インク吐出（印刷）数をＲＦＩＤタグ（２１１）へ新規に書き込む（ステップＳ１１１０）。
【００８３】
続いて、ＲＦＩＤタグ（２１１）に印刷位置調整値情報が記憶されているか確認を行い（ステップＳ１１１１）、記憶されている場合はデータのチェックを行い、データが正常な場合にはＥＥＰＲＯＭ（３０４）に記憶されている印刷位置調整値情報をＲＦＩＤタグ（２１１）に記憶されている累積インク吐出数で上書きし（ステップＳ１１１２）、正常でない場合、または記憶されていない場合は、ＥＥＰＲＯＭ（３０４）の印刷位置調整値情報をＲＦＩＤタグ（２１１）へ新規に書き込む（ステップＳ１１１３）。
【００８４】
以上の説明から明らかなように、本実施形態によれば、オペレーションパネルからのコマンドの受信を契機として、ＲＦＩＤタグに書き込まれた各種情報（制御プログラムや制御プログラム実行時に読み込まれるデータ、機体情報）で、ＥＥＰＲＯＭの内容を更新する構成とすることにより、更新するか否かをユーザが選択することが可能となり、ユーザの利便性が向上する。
【００８５】
［第３の実施形態］
上記第１の実施形態および第２の実施形態では、ラベルプリンタにおける各種情報の更新について説明したが、本発明はこれに限られず、例えば、パーソナルコンピュータ等の情報処理装置における各種情報の更新についても適用可能である。以下に詳細に説明する。
【００８６】
＜全体システム構成＞
図１２は本発明の第３の実施形態にかかるＲＦＩＤタグ通信機能付きパーソナルコンピュータ（以下パーソナルコンピュータとも呼ぶ）と、当該パーソナルコンピュータと通信を行うＲＦＩＤ通信用ハンディターミナルとを示した図である。
【００８７】
ＲＦＩＤ通信用ハンディターミナル（１２０１）は、無線通信によりパーソナルコンピュータ（１２００）に搭載される内部情報記憶用ＲＦＩＤタグの各種情報の書き換えを行う。
【００８８】
図１３はパーソナルコンピュータ（１２００）の簡易ブロック図である。パーソナルコンピュータ（１２００）は、内部情報記憶用ＲＦＩＤタグ（１３００）と、ＲＦＩＤタグ（１３００）と通信を行う為のＲＦＩＤリーダ／ライタ（１３０２）及びＲＦＩＤ通信用アンテナ（１３０１）、ならびにパーソナルコンピュータ（１２００）を起動しＲＦＩＤタグ（１３００）と通信を行うプログラムが記憶されている起動用ＲＯＭ（１３０３）を有する。
【００８９】
さらにパーソナルコンピュータを制御する為のプログラムが記憶されている内部情報記憶用ＥＥＰＲＯＭ（１３０４）、プログラムを実行する為のＲＡＭ（１３０５）、ＣＤ−ＲＯＭのデータを読み取るＣＤ−ＲＯＭドライブ（１３０６）、プログラムまたはデータを記憶するＨＤＤ（１３０７）、フロッピー（登録商標）ディスクのデータを読み取るＦＤＤ（１３０８）を含む。
【００９０】
パーソナルコンピュータ（１２００）は、またデータ入力を行うキーボード（１３０９）、出力画像情報を処理し映像信号に変換を行うビデオコントローラ（１３１０）、ビデオコントローラ（１３１０）から受け取った映像信号を表示するディスプレイ（１３１１）、ＲＡＭ（１３０５）に記憶されているプログラムを処理する他、パーソナルコンピュータ全体のコントロールを行うＣＰＵ（１３１２）を含むメインコントローラ（１３１３）を含む。
【００９１】
内部情報記憶用ＲＦＩＤタグ（１３００）は電源を必要としないパッシブ方式を採用しており、ＲＦＩＤリーダ／ライタ(１３０２)との通信は無線電波の受信電力を利用して行なう。パーソナルコンピュータ（１２００）の各種情報の更新は、ＲＦＩＤ通信用ハンディターミナル（１２０１）等、ＲＦＩＤタグ(２１１)と通信可能な外部機器を用いて行われる。
【００９２】
なお、外部機器から通信を行う場合でも無線電波の受信電力を利用してＲＦＩＤタグ（１３００）は動作するので、ＲＦＩＤタグ(１３００)自身はたとえパーソナルコンピュータ（１２００）の電源が供給されていない状態であっても外部機器との通信が可能である。
【００９３】
ＲＦＩＤハンディターミナル（１２０１）は、ＲＦＩＤタグ（１３００）と通信を行うためのＲＦＩＤ通信用アンテナ（１３１４）およびＲＦＩＤリーダ／ライタ（１３１５）、ＲＦＩＤハンディターミナルを制御するためのプログラムを記憶するＲＯＭ（１３１６）、ＲＦＩＤタグ（１３００）との送受信データを記憶するためのＲＡＭ（１３１７）、ＲＦＩＤハンディターミナル（１２０１）を制御するためのＣＰＵ（１３１８）から構成される。
【００９４】
図１４（１）はパーソナルコンピュータ（１２００）に内蔵される内部情報記憶用ＲＦＩＤタグ（１３００）に記憶されるデータフォーマットを示した図である。
【００９５】
内部情報（１４００）は各種情報を識別する為の識別コード（１４０１）、プログラムやハードウェア情報の情報量を記憶するデータ長（１４０２）、プログラムやハードウェア情報を記憶するデータ部（１４０３）から構成される。
【００９６】
内部情報には、パーソナルコンピュータ（１２００）を制御する為の制御プログラムや、使用されているＨＤＤやＣＤ−ＲＯＭドライブ、ＶＩＤＥＯコントローラ等の構成ハードウェアの型番およびシリアルナンバーの情報であるハードウェア情報が存在する（第３、第４の実施形態では、これらを総称して「各種情報」と称す）。
【００９７】
制御プログラム記憶フォーマット（１４０４）のデータ部は、制御プログラムのバージョン情報と制御プログラムが記憶される。
【００９８】
ハードウェア情報記憶フォーマット（１４０５）のデータ部は、パーソナルコンピュータ（１２００）または構成する各ハードウェアの型番とシリアルナンバーが記憶される。
【００９９】
図１４（２）はパーソナルコンピュータ（１２００）に内蔵される内部情報記憶用ＲＦＩＤタグメモリマップを示した図である。ＲＦＩＤタグ（１３００）には、各種情報が１４００に示すフォーマット形式で、内部情報記憶用ＲＦＩＤメモリマップ（１４０７）に示すような連続した状態で各内部情報が記憶されている。内部情報の記憶の順番には特に指定は無く、識別コードにより各種情報を判定する。
【０１００】
また、記憶されている情報量は、先頭から順に識別コードを検索することで確認を行う。次の内部情報識別コードの位置は式（１４０８）から算出できるので、終了コード（１４０６）を検知するまで検索を行うことで、記憶情報量を確認できる。
【０１０１】
＜ＲＦＩＤハンディターミナルによる処理＞
図１５はパーソナルコンピュータ（１２００）に内蔵されるＲＦＩＤタグ（１３００）と外部機器であるＲＦＩＤハンディターミナル（１２０１）との間のデータ送受信の流れを示したフローチャートである。
【０１０２】
ＲＦＩＤ通信用ハンディターミナル（１２０１）はユーザからのコマンド待ち状態となっており（ステップＳ１５０１）、ユーザからコマンドを受信すると、受信したコマンドの解析処理を行う（ステップＳ１５０２）。
【０１０３】
コマンドがデータクリアコマンドであるかを判定し（ステップＳ１５０３）、データクリアコマンドであればＲＦＩＤタグのデータをクリア（消去）し（ステップＳ１５０４）、再びコマンド待ち状態に戻る（ステップＳ１５０１）。
【０１０４】
データクリアコマンドでない場合は続けて、データ書き込みコマンドであるかを判定し（ステップＳ１５０５）、書き込みコマンドであればＲＦＩＤ通信用ハンディターミナルのＲＡＭ（１３１７）に記憶されている制御プログラム等の各種情報をＲＦＩＤタグ（１３００）へ書き込み（ステップＳ１５０６）、再びコマンド受信状態に戻る（ステップＳ１５０１）。
【０１０５】
データ書き込みコマンドでない場合は続けて、データ読み込みコマンドであるかを判定し（ステップＳ１５０７）、読み込みコマンドであればＲＦＩＤタグ（１３００）に記憶されている各種情報の読み込みをおこない、ＲＦＩＤハンディターミナルのＲＡＭ（１３１７）に記憶し（ステップＳ１５０８）、再びコマンド受信状態に戻る（ステップＳ１５０１）。
【０１０６】
＜パーソナルコンピュータにおける処理（制御プログラムの更新）＞
図１６はパーソナルコンピュータ（１２００）の制御プログラム更新の流れを示したフローチャートである。
【０１０７】
パーソナルコンピュータ（１２００）に電源が投入（ステップＳ１６０１）されると、起動用ＲＯＭ（１３０３）に記憶されているＲＦＩＤ通信用プログラムが実行され、内部情報記憶用ＲＦＩＤタグ（１３００）と通信可能状態となる（ステップＳ１６０２）。
【０１０８】
続いてＲＦＩＤタグ（１３００）に制御プログラムが記憶されているかを確認する為にＲＦＩＤタグ（１３００）に記憶されている識別コード（１４０１）を取得し（ステップＳ１６０３）、制御プログラムがあるかを判定する（ステップＳ１６０４）。
【０１０９】
制御プログラムがあった場合は、ＲＦＩＤタグ（１３００）から、データ長（１４０２）だけデータ（１４０３）を読み込み（ステップＳ１６０５）、ＥＥＰＲＯＭ（１３０４）に記憶されている制御プログラムとバージョンを比較し（ステップＳ１６０６）、同一であった場合は、制御プログラムは更新せずに制御プログラム更新処理を終了する。
【０１１０】
一方、異なるバージョンであった場合はデータのチェックを行い（ステップＳ１６０９）、データが正常であった場合は、ＥＥＰＲＯＭ（１３０４）の制御プログラムをＲＦＩＤタグ（１３００）から読み込んだ制御プログラムにより更新する（ステップＳ１６１０）。データに異常があった場合は制御プログラムを更新せずにエラー表示を行ない（ステップＳ１６１５）、ＥＥＰＲＯＭ（１３０４）の制御プログラムをＲＦＩＤタグ（１３００）に書き込む（ステップＳ１６１４）。
【０１１１】
更新終了後、制御プログラムが正常に書き換えられたかを判定し（ステップＳ１６１１）、正常終了した場合は、制御プログラム更新処理を終了する。
【０１１２】
一方、書き込みエラーが発生した場合は、ディスプレイ（１３１１）に書き込みエラー表示を行い（ステップＳ１６１１）、パーソナルコンピュータ（１２００）の動作を停止する（ステップＳ１６１３）。
【０１１３】
また、ステップＳ１６０４で、制御プログラムがなかった場合には、取得した識別コードが終了コードであるか確認し（ステップＳ１６０７）、終了コードであった場合は、ＥＥＰＲＯＭ（１３０４）に記憶されている制御プログラムをＲＦＩＤタグ（１３００）に書き込む（ステップＳ１６１４）。一方、終了コードでない場合は次の認識コードへ移動し（ステップＳ１６０８）、ステップＳ１６０３を実行する。
【０１１４】
＜パーソナルコンピュータにおける処理（ＲＦＩＤタグのハードウェア情報の書き換え）＞
図１７はパーソナルコンピュータ（１２００）におけるＲＦＩＤタグのハードウェア情報の書き換え処理の流れを示したフローチャートである。本実施形態にかかるパーソナルコンピュータ（１２００）では、電源ＯＦＦ時であってもＲＦＩＤ通信用ハンディターミナルを用いることにより、パーソナルコンピュータ（１２００）のハードウェア情報が読み出せるよう、パーソナルコンピュータ（１２００）の電源ＯＮ時にＲＦＩＤタグ（１３００）に、パーソナルコンピュータ（１２００）が認識しているハードウェア情報が書き込まれる。
【０１１５】
具体的には、パーソナルコンピュータ（１２００）に電源が投入（ステップＳ１７０１）されると、起動用ＲＯＭ（１３０３）に記憶されているＲＦＩＤ通信用プログラムが実行され、内部情報記憶用ＲＦＩＤタグ（１３００）と通信可能状態となる（ステップＳ１７０２）。
【０１１６】
ステップＳ１７０４では、ＲＦＩＤタグ（１３００）に記憶されているハードウェア情報を消去し、パーソナルコンピュータ（１２００）のハードウェア情報をＲＦＩＤタグ（１３００）に記憶する（ステップＳ１７０４）。
【０１１７】
以上の説明から明らかなように、本実施形態にかかるパーソナルコンピュータによれば、ＲＦＩＤ通信機能を搭載することで当該パーソナルコンピュータが梱包状態の如く電源が入っていない状態であっても、ＲＦＩＤタグの制御プログラムの更新や、制御プログラム及びハードウェア情報等の読み出しが可能となる。そして、本実施形態にかかるパーソナルコンピュータでは、ＲＦＩＤタグに書き込まれた当該制御プログラムを用いて電源投入時に内部情報記憶用ＥＥＰＲＯＭを更新することで、当該制御プログラムを反映させる構成とし、さらに、内部情報記憶用ＥＥＰＲＯＭを更新する際に当該各種情報が正常であるか否かを確認することにより、正常でない情報によって内部情報記憶用ＥＥＰＲＯＭが更新されてしまうといった事態を回避することが可能となる。
【０１１８】
さらに、ＲＦＩＤタグに記憶された制御プログラムが正常でなかった場合に、内部情報記憶用ＥＥＰＲＯＭに記憶されている各種情報をＲＦＩＤタグに書き込む構成とすることにより、パーソナルコンピュータの電源ＯＦＦ時でも、ユーザはパーソナルコンピュータの有する制御プログラムを簡単に読み出すことが可能となり、正常でない情報が読み出されることを回避することが可能となる。
【０１１９】
［第４の実施形態］
上記第３の実施形態では、ＲＦＩＤタグに書き込まれた制御プログラムにより、内部情報記憶用ＥＥＰＲＯＭを更新するための処理が、パーソナルコンピュータの電源の投入を契機として自動的に開始されるように構成したが、本発明はこれに限られず、例えば、ユーザが所定の指示を入力した場合にのみ、ＲＦＩＤタグに書き込まれた制御プログラムを用いて、内部情報記憶用ＥＥＰＲＯＭを更新するための処理が開始されるように構成してもよい。以下にパーソナルコンピュータ（１２００）における処理の詳細を説明する。
【０１２０】
図１８はパーソナルコンピュータ（１２００）の制御プログラム更新の流れを示したフローチャートである。
【０１２１】
ステップＳ１８０１にてパーソナルコンピュータ１２００に電源が投入され初期化動作が終了すると、コマンド受信待機状態となり（ステップＳ１８０２）、コマンド受信後、解析処理を行い、制御プログラム更新命令か否かを判定する（ステップＳ１８０３）。
【０１２２】
制御プログラム更新命令でない場合は、そのコマンドに対応する処理プログラムを実行し（ステップＳ１８０９）、再びコマンド受信待機状態に戻る（ステップＳ１８０２）。
【０１２３】
一方、制御プログラム更新命令の場合は起動用ＲＯＭ（１３０３）に記憶されているＲＦＩＤ通信用プログラムが実行され、内部情報記憶用ＲＦＩＤタグ（１３００）と通信可能状態となる（ステップＳ１８０４）。
【０１２４】
続いてＲＦＩＤタグ（１３００）に制御プログラムが記憶されているかを確認する為にＲＦＩＤタグ（１３００）に記憶されている識別コード（１４０１）を取得し（ステップＳ１８０５）、制御プログラムがあるかを判定する（ステップＳ１８０６）。
【０１２５】
制御プログラムがあった場合は、ＲＦＩＤタグ（１３００）からデータを読み込み（ステップＳ１８０７）、内部情報記憶用ＥＥＰＲＯＭ（１３０４）に記憶されている制御プログラムとバージョンを比較し（ステップＳ１８０８）、同一であった場合は、制御用プログラムを更新せずに制御プログラム更新処理を終了する。
【０１２６】
一方、異なるバージョンであった場合には、データに異常がないかチェックし（ステップＳ１８１２）、正常であった場合はＥＥＰＲＯＭ（１３０４）の制御プログラムをＲＦＩＤタグ（１３００）から読み込んだ制御プログラムに更新する（ステップＳ１８１３）。また、データに異常があった場合はエラー表示を行なった後（ステップＳ１８１７）、ＥＥＰＲＯＭ（１３０４）の制御プログラムをＲＦＩＤタグ（１３００）へ書き込む（ステップＳ１８１８）。
【０１２７】
ステップＳ１８１４では、更新終了後、制御プログラムが正常に書き換えられたかを判定し、正常終了した場合は、制御プログラム更新処理を終了する。一方、書き込みエラーが発生した場合は、ディスプレイ（１３１１）に書き込みエラー表示を行い（ステップＳ１８１５）、パーソナルコンピュータの動作を停止する（ステップＳ１８１６）。
【０１２８】
また、ステップＳ１８０６で制御プログラムがない場合には、取得した識別コードが終了コードであるか確認し（ステップＳ１８１０）、終了コードであった場合は、ＥＥＰＲＯＭ（１３０４）に記憶されている制御プログラムをＲＦＩＤタグ（１３００）に書き込む（ステップＳ１８１８）。終了コードでない場合は次の識別コードへ移動し（ステップＳ１８１１）、ステップＳ１８０５を実行する。
【０１２９】
＜パーソナルコンピュータにおける処理（ＲＦＩＤタグのハードウェア情報の書き換え）＞
図１９はパーソナルコンピュータ(１２００)におけるＲＦＩＤタグのハードウェア情報の書き換え処理の流れを示したフローチャートである。
【０１３０】
ステップＳ１９０１にてパーソナルコンピュータに電源が投入され初期化動作が終了すると、コマンド受信待機状態となる（ステップＳ１９０２）。コマンド受信後、解析処理を行いハードウェア情報書き込み命令か否かを判定する（ステップＳ１９０３）。ハードウェア情報書き込み命令でない場合は、そのコマンドに対応する処理プログラムを実行し（ステップＳ１９０８）、再びコマンド受信待機状態に戻る（ステップＳ１９０２）。
【０１３１】
一方、ハードウェア情報書き込み命令の場合には、起動用ＲＯＭ（１３０３）に記憶されているＲＦＩＤ通信用プログラムが実行され、内部情報記憶用ＲＦＩＤタグ（１３００）と通信可能状態となり（ステップＳ１９０４）、ＲＦＩＤタグ（１３００）に記憶されているハードウェア情報を消去し（ステップＳ１９０５）、パーソナルコンピュータ（１２００）のハードウェア情報をＲＦＩＤタグ（１３００）に記憶する（ステップＳ１９０６）。
【０１３２】
[他の実施形態]
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【０１３３】
また、本発明の目的は、前述した実施形態の機能を実現するソフトウェアのプログラムコードを記憶した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【０１３４】
この場合、記憶媒体から読出されたプログラムコード自体が前述した実施形態の機能を実現することになり、そのプログラムコードを記憶した記憶媒体は本発明を構成することになる。
【０１３５】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１３６】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１３７】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【０１３８】
【図１】本発明の第１の実施形態にかかるＲＦＩＤタグ通信機能付きラベル記録装置(ラベルプリンタ)と、当該ラベルプリンタと通信を行うＲＦＩＤ通信用ハンディターミナルとを示した図である。
【図２】ラベルプリンタの概略構成図である。
【図３】ラベルプリンタの簡易ブロック図である。
【図４】ラベルプリンタに内蔵される内部情報記憶用ＲＦＩＤタグに記憶されるデータフォーマットを示した図である。
【図５】ラベルプリンタに搭載されるＲＦＩＤタグとＲＦＩＤハンディターミナルとの間のデータ送受信の流れを示したフローチャートである。
【図６】ラベルプリンタにおける制御プログラム更新の流れを示したフローチャートである。
【図７】ラベルプリンタにおける印刷特性データ更新の流れを示したフローチャートである。
【図８】ラベルプリンタにおける機体情報更新の流れを示したフローチャートである。
【図９】ラベルプリンタにおける制御プログラム更新の流れを示したフローチャートである。
【図１０】ラベルプリンタにおける印刷特性データ更新の流れを示したフローチャートである。
【図１１】ラベルプリンタにおける機体情報更新の流れを示したフローチャートである。
【図１２】本発明の第３の実施形態にかかるＲＦＩＤタグ通信機能付きパーソナルコンピュータ（パーソナルコンピュータ）と、当該パーソナルコンピュータと通信を行うＲＦＩＤ通信用ハンディターミナルとを示した図である。
【図１３】パーソナルコンピュータの簡易ブロック図である。
【図１４】パーソナルコンピュータに内蔵される内部情報記憶用ＲＦＩＤタグに記憶されるデータフォーマットを示した図である。
【図１５】パーソナルコンピュータに内蔵されるＲＦＩＤタグと外部機器であるＲＦＩＤハンディターミナルとの間のデータ送受信の流れを示したフローチャートである。
【図１６】パーソナルコンピュータにおける制御プログラム更新の流れを示したフローチャートである。
【図１７】パーソナルコンピュータにおけるＲＦＩＤタグのハードウェア情報書き換えの流れを示したフローチャートである。
【図１８】パーソナルコンピュータにおける制御プログラム更新の流れを示したフローチャートである。
【図１９】パーソナルコンピュータにおけるＲＦＩＤタグのハードウェア情報書き換えの流れを示したフローチャートである。
【符号の説明】
【０１３９】
１００    ＲＦＩＤ通信機能付きインクジェットラベルプリンタ
１０１    ＲＦＩＤ通信用ハンディターミナル
２００    ＲＦＩＤ通信部
２０１    ＲＦＩＤ通信用アンテナ
２０２    ＲＦＩＤリーダ／ライタ
２１１    内部情報記憶用ＲＦＩＤタグ
３０３    起動用ＲＯＭ
３０４    内部情報記憶用ＥＥＰＲＯＭ
４００    内部情報記憶用ＲＦＩＤタグ記憶フォーマット
４０９    終了コード
４１０    内部情報記憶用ＲＦＩＤタグメモリマップ
１２００  ＲＦＩＤ通信機能付きパーソナルコンピュータ
１２０１  ＲＦＩＤ通信用ハンディターミナル
１３００  内部情報記憶用ＲＦＩＤタグ
１３０１  ＲＦＩＤ通信用アンテナ
１３０２  ＲＦＩＤリーダ／ライタ
１３０３  起動用ＲＯＭ
１３０４  内部情報記憶用ＥＥＰＲＯＭ
１４００  内部情報記憶用ＲＦＩＤタグデータ記憶フォーマット
１４０６  終了コード
１４０７  内部情報記憶用ＲＦＩＤタグメモリマップ
【図１】
2006231775.tif 000003
【図２】
2006231775.tif 000004
【図３】
2006231775.tif 000005
【図４】
2006231775.tif 000006
【図５】
2006231775.tif 000007
【図６】
2006231775.tif 000008
【図７】
2006231775.tif 000009
【図８】
2006231775.tif 000010
【図９】
2006231775.tif 000011
【図１０】
2006231775.tif 000012
【図１１】
2006231775.tif 000013
【図１２】
2006231775.tif 000014
【図１３】
2006231775.tif 000015
【図１４】
2006231775.tif 000016
【図１５】
2006231775.tif 000017
【図１６】
2006231775.tif 000018
【図１７】
2006231775.tif 000019
【図１８】
2006231775.tif 000020
【図１９】
2006231775.tif 000021